(57)【要約】【課題】電気掃除機用吸込具において、空気および塵挨の流路が屈曲した状態においては、吸込騒音が発生し易いという課題があった。【解決手段】電気掃除機用吸込具１０のベンド１２は、本体１１に一体に形成された回動受け部２１により回動自在に保持された接続筒１８を有する。接続筒１８が立った状態に回動されたとき、接続筒１８の先端下方に乱流ポケット２６が生じ、この部分で矢印２７で示す乱流が生じ易く、吸込騒音が発生し易い。これを防止するため、接続筒１８の先端内面下方にはリブ３０が設けられている。リブ３０は空気および塵挨の通過方向２９に延び、平行に複数設けられている。【効果】リブ３０により乱流の発生が抑止され、吸込騒音が低減されるので、ベンド１２の回動位置に依らず、吸込騒音が発生しにくい。【選択図】図２
2008200480.tif 000002
【特許請求の範囲】
【請求項１】
被清掃面に対向される吸込口を有する本体と、その本体に対して回動可能に突設され、前記吸込口から吸い込まれる空気および塵挨を電気掃除機方向へ通過させるための筒状のベンドとを有する電気掃除機用吸込具であって、
前記ベンドは、前記本体に設けられた回動受け部と、
前記回動受け部に一端が連結されて前記本体に対して上下方向に回動自在な接続筒とを含み、
前記接続筒の筒状内面には、所定の位置に、前記空気および塵挨の通過方向に延びるリブが形成されていることを特徴とする、電気掃除機用吸込具。
【請求項２】
前記ベンドの回動受け部は、略球面状の受け面を含み、
前記接続筒の一端は、その外表面が前記受け面に内嵌合する嵌合面を含み、
前記接続筒は前記受け面を中心に少なくとも上下に回動自在に設けられていて、
前記接続筒の一端の下方内面に前記リブが形成されていることを特徴とする、請求項１記載の電気掃除機用吸込具。
【請求項３】
前記リブは、平行に複数設けられていることを特徴とする、請求項１または請求項２に記載の電気掃除機用吸込具。
【請求項４】
前記所定の位置は、前記本体に対して前記ベンドを回動させ、空気および塵挨の通過流路を屈曲させたときに、屈曲外方側の位置を含むことを特徴とする、請求項１記載の電気掃除機用吸込具。
【請求項５】
前記接続管の他端側内面に、前記空気および塵埃の通過方向に延びる第２のリブが形成されていることを特徴とする、請求項１記載の電気掃除機用吸込具。
【請求項６】
前記第２のリブは、前記接続管の他端側内面から一端側に向かって略全周に形成されていることを特徴とする、請求項５記載の電気掃除機用吸込具。
【請求項７】
前記回動受け部は、前記本体に対して本体の幅方向に回動自在に形成されていることを特徴とする、請求項１記載の電気掃除機用吸込具。
【請求項８】
被清掃面に対向される吸込口を有する本体と、その本体に対して回動可能に突設され、前記吸込口から吸い込まれる空気および塵挨を電気掃除機方向へ通過させるための筒状のベンドとを有する電気掃除機用吸込具であって、
前記ベンドは、前記本体に設けられた回動受け部と、
前記回動受け部に一端が枢支されて前記本体に対して上下方向に回動自在な回動筒と、
前記回動筒に一端が枢支されて前記本体に対して左右方向に回動自在な接続筒とを含み、
前記回動筒の筒状内面には、所定の位置に、前記空気および塵挨の通過方向に延びるリブが形成されていることを特徴とする、電気掃除機用吸込具。
【請求項９】
前記ベンドの回動受け部は、略円弧状の受け面を含み、
前記接続筒の一端は、その外表面が前記受け面に内嵌合する嵌合面を含み、
前記接続筒は前記受け面を中心に少なくとも上下に回動自在に設けられていて、
前記接続筒の一端の下方内面に前記リブが形成されていることを特徴とする、請求項８記載の電気掃除機用吸込具。
【請求項１０】
前記リブは、平行に複数設けられていることを特徴とする、請求項８または請求項９に記載の電気掃除機用吸込具。
【請求項１１】
前記所定の位置は、前記本体に対して前記ベンドを回動させ、空気および塵挨の通過流路を屈曲させたときに、屈曲外方側の位置を含むことを特徴とする、請求項８記載の電気掃除機用吸込具。
【請求項１２】
被清掃面に対向される吸込口を有する本体と、その本体に対して回動可能に突設され、前記吸込口から吸い込まれる空気および塵挨を電気掃除機方向へ通過させるための筒状のベンドとを有する電気掃除機用吸込具であって、
前記ベンドは、前記本体に設けられた回動受け部と、
前記回動受け部に一端が枢支されて前記本体に対して上下方向に回動自在な回動筒と、
前記回動筒に一端が枢支されて前記本体に対して左右方向に回動自在な接続筒とを含み、
前記接続筒の筒状内面には、所定の位置に、前記空気および塵挨の通過方向に延びるリブが形成されていることを特徴とする、電気掃除機用吸込具。
【請求項１３】
前記リブは、平行に複数設けられていることを特徴とする、請求項１２に記載の電気掃除機用吸込具。
【請求項１４】
被清掃面に対向される吸込口を有する本体と、その本体に対して回動可能に突設され、前記吸込口から吸い込まれる空気および塵挨を電気掃除機方向へ通過させるための筒状のベンドとを有する電気掃除機用吸込具であって、
前記ベンドは、前記本体に設けられた回動受け部と、
前記回動受け部に一端が枢支されて前記本体に対して上下方向に回動自在な回動筒と、
前記回動筒に一端が枢支されて前記本体に対して左右方向に回動自在な接続筒とを含み、
前記接続筒の他端側内面には、前記空気および塵挨の通過方向に延びるリブが形成されていることを特徴とする、電気掃除機用吸込具。
【請求項１５】
前記リブは、前記接続管の他端側内面から一端側に向かって略全周に形成されていることを特徴とする、請求項１４記載の電気掃除機用吸込具。
【発明の詳細な説明】
【技術分野】
【０００１】
この発明は、電気掃除機用吸込具に関し、特に、電気掃除機に装着されて使用され、被清掃面上の塵挨を吸い込んで電気掃除機側へ送るための吸込具に関する。
【背景技術】
【０００２】
電気掃除機は、一般に、電動送風機を備えた本体と、本体に後端が取り付けられ、その先端には操作部が備えられた吸込ホースと、吸込ホースの操作部に後端が接続され、その先端側には吸込具が接続された吸込パイプとを有している。ユーザは、操作部に設けられたグリップを握り、吸込具を被清掃面に沿って前後に移動させることにより、清掃を行う。
【０００３】
従来の吸込具は、前後に移動させる際に効率良く被清掃面の塵挨を吸い込めるよう、吸込パイプに対していわゆるＴ字状に接続される形状をしている。すなわち、清掃方向（移動方向）に対して直交方向（幅方向）に長手の吸込具本体と、吸込具本体の幅方向中央から後方へ突出したベンドとを有しており、吸込具本体に対してベンドが上下方向に回動することにより、吸込具が被清掃面から浮き上がらず、良好な吸引が行えるようになっている。
【０００４】
また、吸込具の内部には、回転ブラシが収容されており、回転ブラシが回転することにより、被清掃面の塵挨を掻きあげる作用等をし、清掃効率の向上が図られている（たとえば特許文献１参照）。
【特許文献１】特開平６−７２７１号公報
【発明の開示】
【発明が解決しようとする課題】
【０００５】
従来の電気掃除機用吸込具は、吸込具本体に対してベンドは上下方向に回動するため、吸込具本体に吸い込まれた空気および塵挨は、吸込具本体からベンドへと流れる際、その流路がほぼ真っ直ぐである場合もあれば、屈曲する場合もある。なぜなら、ベンドが略水平方向に突出するように寝かされた状態では、流路はほぼ真っ直ぐに延びるが、ベンドが立てられた状態では、流路は屈曲した状態となるからである。
【０００６】
ところで、電気掃除機用吸込具において、空気および塵挨の流路が屈曲した状態においては、流路の内径は、場所により広狭差が生じる。内径の広狭差は通過する空気の圧力差を生じるため、吸込音（空気の通過音）が発生し易いという課題が判明した。
【０００７】
この発明は、かかる課題を解決するためになされたもので、吸込騒音（空気流により生じる音）の発生を抑えた電気掃除機用吸込具を提供することを主たる目的とする。
【０００８】
この発明は、また、吸込具本体に対してベンドをどのような回動状態にしても、騒音が発生し難いように改良された電気掃除機用吸込具を提供することを他の目的とする。
【課題を解決するための手段】
【０００９】
請求項１の発明は、被清掃面に対向される吸込口を有する本体と、その本体に対して回動可能に突設され、前記吸込口から吸い込まれる空気および塵挨を電気掃除機方向へ通過させるための筒状のベンドとを有する電気掃除機用吸込具であって、前記ベンドは、前記本体に設けられた回動受け部と、前記回動受け部に一端が連結されて前記本体に対して上下方向に回動自在な接続筒とを含み、前記接続筒の筒状内面には、所定の位置に、前記空気および塵挨の通過方向に延びるリブが形成されていることを特徴とする、電気掃除機用吸込具である。
【００１０】
請求項２の発明は、前記ベンドの回動受け部は、略球面状の受け面を含み、前記接続筒の一端は、その外表面が前記受け面に内嵌合する嵌合面を含み、前記接続筒は前記受け面を中心に少なくとも上下に回動自在に設けられていて、前記接続筒の一端の下方内面に前記リブが形成されていることを特徴とする、請求項１記載の電気掃除機用吸込具である。
【００１１】
請求項３の発明は、前記リブは、平行に複数設けられていることを特徴とする、請求項１または請求項２に記載の電気掃除機用吸込具である。
【００１２】
請求項４の発明は、前記所定の位置は、前記本体に対して前記ベンドを回動させ、空気および塵挨の通過流路を屈曲させたときに、屈曲外方側の位置を含むことを特徴とする、請求項１記載の電気掃除機用吸込具である。
【００１３】
請求項５の発明は、前記接続管の他端側内面に、前記空気および塵埃の通過方向に延びる第２のリブが形成されていることを特徴とする、請求項１記載の電気掃除機用吸込具である。
【００１４】
請求項６の発明は、前記第２のリブは、前記接続管の他端側内面から一端側に向かって略全周に形成されていることを特徴とする、請求項５記載の電気掃除機用吸込具である。
【００１５】
請求項７の発明は、前記回動受け部は、前記本体に対して本体の幅方向に回動自在に形成されていることを特徴とする、請求項１記載の電気掃除機用吸込具である。
【００１６】
請求項８の発明は、被清掃面に対向される吸込口を有する本体と、その本体に対して回動可能に突設され、前記吸込口から吸い込まれる空気および塵挨を電気掃除機方向へ通過させるための筒状のベンドとを有する電気掃除機用吸込具であって、前記ベンドは、前記本体に設けられた回動受け部と、前記回動受け部に一端が枢支されて前記本体に対して上下方向に回動自在な回動筒と、前記回動筒に一端が枢支されて前記本体に対して左右方向に回動自在な接続筒とを含み、前記回動筒の筒状内面には、所定の位置に、前記空気および塵挨の通過方向に延びるリブが形成されていることを特徴とする、電気掃除機用吸込具である。
【００１７】
請求項９の発明は、前記ベンドの回動受け部は、略円弧状の受け面を含み、前記接続筒の一端は、その外表面が前記受け面に内嵌合する嵌合面を含み、前記接続筒は前記受け面を中心に少なくとも上下に回動自在に設けられていて、前記接続筒の一端の下方内面に前記リブが形成されていることを特徴とする、請求項８記載の電気掃除機用吸込具である。
【００１８】
請求項１０の発明は、前記リブは、平行に複数設けられていることを特徴とする、請求項８または請求項９に記載の電気掃除機用吸込具である。
【００１９】
請求項１１の発明は、前記所定の位置は、前記本体に対して前記ベンドを回動させ、空気および塵挨の通過流路を屈曲させたときに、屈曲外方側の位置を含むことを特徴とする、請求項８記載の電気掃除機用吸込具である。
【００２０】
請求項１２の発明は、被清掃面に対向される吸込口を有する本体と、その本体に対して回動可能に突設され、前記吸込口から吸い込まれる空気および塵挨を電気掃除機方向へ通過させるための筒状のベンドとを有する電気掃除機用吸込具であって、前記ベンドは、前記本体に設けられた回動受け部と、前記回動受け部に一端が枢支されて前記本体に対して上下方向に回動自在な回動筒と、前記回動筒に一端が枢支されて前記本体に対して左右方向に回動自在な接続筒とを含み、前記接続筒の筒状内面には、所定の位置に、前記空気および塵挨の通過方向に延びるリブが形成されていることを特徴とする、電気掃除機用吸込具である。
【００２１】
請求項１３の発明は、前記リブは、平行に複数設けられていることを特徴とする、請求項１２に記載の電気掃除機用吸込具である。
【００２２】
請求項１４の発明は、被清掃面に対向される吸込口を有する本体と、その本体に対して回動可能に突設され、前記吸込口から吸い込まれる空気および塵挨を電気掃除機方向へ通過させるための筒状のベンドとを有する電気掃除機用吸込具であって、前記ベンドは、前記本体に設けられた回動受け部と、前記回動受け部に一端が枢支されて前記本体に対して上下方向に回動自在な回動筒と、前記回動筒に一端が枢支されて前記本体に対して左右方向に回動自在な接続筒とを含み、前記接続筒の他端側内面には、前記空気および塵挨の通過方向に延びるリブが形成されていることを特徴とする、電気掃除機用吸込具である。
【００２３】
請求項１５の発明は、前記リブは、前記接続管の他端側内面から一端側に向かって略全周に形成されていることを特徴とする、請求項１４記載の電気掃除機用吸込具である。
【発明の効果】
【００２４】
請求項１記載の発明によれば、ベンドを構成する接続筒の一端は、回動受け部に対して回動自在であり、このため、その内径が接続筒の他の部分に比べて広くされている。内径の広がった接続筒一端には、圧力差が生じて乱流が発生し易い。そこで、ベンドの筒状内面の所定位置に、空気および塵挨の通過方向に延びるリブが形成されている。リブは、空気の通過を案内して、スムーズに流す整流作用を生じる。従って、通過する空気に乱流が発生しにくく、乱流に基づく空気の通過音（吸込騒音）の発生が抑制される。
【００２５】
請求項２記載の発明によれば、接続筒の一端は、嵌合面を含んでおり、接続筒が上方へ回動されたときに、接続筒の一端下方に空気が淀み易い空間（ポケット）が発生する。そこで、接続筒の一端下方の空間（ポケット）にリブを設けることによって、乱流の発生を予防し、空気の流れをスムーズにして騒音の発生を抑えることができる。
【００２６】
請求項３記載の発明によれば、リブは平行に複数設けられているので、リブによる整流効果が向上し、騒音の発生を最小限に抑えることができる。
【００２７】
請求項４記載の発明によれば、ベンドを回動させて、空気および塵挨の通過流路を屈曲させたときに、湾曲外方側の位置にリブが設けられている。つまり、乱流が生じ易い位置にリブが存在し、乱流を整えて騒音の発生を効率良く抑止することができる。
【００２８】
請求項５記載の発明によれば、接続筒は、回動部分において流路面積が狭く形成され、その下流側（他端側）が流路面積が大きく形成される。従って、接続筒の他端側においても乱流が生じやすい。接続筒一端にリブを形成することにより、一端側に生じる乱流を抑制しているが、完全には乱流の発生を防止することは困難である。この接続筒一端側に生じる乱流が起因となって、接続筒の他端側に乱流が生じやすくなり、乱流に基づき空気の通過音が発生する。第２のリブは、接続筒の他端側の空気の流れを整流し、乱流の発生を抑制して、乱流に基づく空気の通過音を抑制する。
【００２９】
請求項６記載の発明によれば、第２のリブは、接続管の略全周に形成することにより、乱流の発生をより確実に抑制することができる。
【００３０】
請求項７記載の発明によれば、回動受け部を本体に対して本体の幅方向に回動自在に形成しているので、接続管は、本体に対して上下左右方向に回動することができ、掃除作業性を向上できる。その際、接続管の屈曲により乱流が生じやすくなるが、リブにより乱流を抑制して、騒音の発生を抑制することができる。
【００３１】
請求項８記載の発明によれば、ベンドを構成する接続筒の一端は、回動受け部に対して回動自在であり、このため、その内径が接続筒の他の部分に比べて広くされている。内径の広がった接続筒一端には、圧力差が生じて乱流が発生し易い。そこで、ベンドの筒状内面の所定位置に、空気および塵挨の通過方向に延びるリブが形成されている。リブは、空気の通過を案内して、スムーズに流す整流作用を生じる。従って、通過する空気に乱流が発生しにくく、乱流に基づく空気の通過音（吸込騒音）の発生が抑制される。
【００３２】
請求項９記載の発明によれば、接続筒の一端は、嵌合面を含んでおり、接続筒が上方へ回動されたときに、接続筒の一端下方に空気が淀み易い空間（ポケット）が発生する。そこで、接続筒の一端下方の空間（ポケット）にリブを設けることによって、乱流の発生を予防し、空気の流れをスムーズにして騒音の発生を抑えることができる。
【００３３】
請求項１０記載の発明によれば、リブは平行に複数設けられているので、リブによる整流効果が向上し、騒音の発生を最小限に抑えることができる。
【００３４】
請求項１１記載の発明によれば、ベンドを回動させて、空気および塵挨の通過流路を屈曲させたときに、湾曲外方側の位置にリブが設けられている。つまり、乱流が生じ易い位置にリブが存在し、乱流を整えて騒音の発生を効率良く抑止することができる。
【００３５】
請求項１２記載の発明によれば、ベンドを構成する接続筒の一端は、回動受け部に対して回動自在であり、このため、接続筒を回動した際に、空気の流路が屈曲し、その屈曲部分において乱流が発生し易い。そこで、ベンドの筒状内面の所定位置に、空気および塵挨の通過方向に延びるリブが形成されている。リブは、空気の通過を案内して、スムーズに流す整流作用を生じる。従って、通過する空気に乱流が発生しにくく、乱流に基づく空気の通過音（吸込騒音）の発生が抑制される。
【００３６】
請求項１３記載の発明によれば、リブは平行に複数設けられているので、リブによる整流効果が向上し、騒音の発生を最小限に抑えることができる。
【００３７】
請求項１４記載の発明によれば、接続筒は、回動部分において流路面積が狭く形成され、その下流側（他端側）が流路面積が大きく形成される。従って、接続筒の他端側において乱流が生じやすい。そこで、接続筒の他端側に、空気および塵埃の通過方向に延びるリブが形成されている。リブは、接続筒の他端側の空気の流れを整流し、乱流の発生を抑制して、乱流に基づく空気の通過音を抑制する。
【００３８】
請求項１５記載の発明によれば、リブは、接続管の略全周に形成することにより、乱流の発生をより確実に抑制することができる。
【００３９】
以上のように、この発明によれば、ベンド内の所定の位置に整流作用を行うリブを設けることにより、吸込具本体に対してベンドを自在に回動させても、ベンドの回動位置により空気の吸込に起因する騒音が生じることがなく、作業音が低減された電気掃除機用吸込具を提供することができる。
【発明を実施するための最良の形態】
【００４０】
以下には、図面を参照してこの発明の具体的な実施形態について説明する。
【００４１】
図１は、この発明の一実施形態に係る電気掃除機用吸込具（以下「吸込具」という。）の中央縦断面図であり、ベンドを寝かせた状態の図である。また、図２は、同様に、吸込具の中央縦断面図であり、ベンドを立てた状態の図である。
【００４２】
図１および図２を参照して、吸込具１０は、本体１１およびベンド１２を有する。本体１１は、たとえば樹脂で成形され、紙面に直交方向に長手をした容器形状（箱形）をしている。そしてその前方側底面には紙面に直交方向に長手の吸込口１３が形成されている。本体１１内には、吸込口１３に臨むように、やはり紙面に直交方向に長手の回転軸を有するブラシ１４が備えられている。この実施形態では、ブラシ１４は、図示しないモータにより回転され、清掃時に被清掃面の塵挨を掻きあげ、吸込口１３から本体１１内へ効率良く塵挨が吸い込まれるように作用する。
【００４３】
吸込口１３から本体１１の内部空間１５内に吸い込まれた空気および塵挨は、本体１１の幅方向（長手方向であり、紙面に直交方向）の略中央部に形成されて後方へ連通する入口１６へ入り、入口１６から後方へと流れる。入口１６から入った空気および塵挨は、案内路１７を通り、ベンド１２を構成する接続筒１８の筒内流路１９を通って、電気掃除機側へと導かれる。その場合の空気および塵挨の流れが矢印２０，２９で図示されている。接続筒１８は電気掃除機にホースを介して接続される延長管に着脱自在に接続される。
【００４４】
ところで、一般に、ベンド１２は、本体１１に設けられた回動受け部２１と、この回動受け部２１に一端としての先端２２が回動自在に連結された上述の接続筒１８とを含んでいる。このため、接続筒１８は、その先端２２を中心に、矢印２３で示すように上下に回動自在になっている。回動受け部２１は、この実施形態では、本体１１に本体１１の幅方向（左右方向）に回動自在に連結されていて、接続筒１８の先端２２を上下方向に回動自在に保持している。回転受け部２１は、本体１１の幅方向に回動自在に形成されているため、略円筒状を呈しており、接続筒２２を上下方向に回動自在に支持する受け面２４は略球面状に形成されている。一方、接続筒１８の先端２２には、受け面２４に内嵌合してスムーズに摺接するための嵌合面２５が形成されている。
【００４５】
このように、略球面状の受け面２４に案内されて、接続筒１８は、その先端２２を中心に上下に回動可能となっているため、接続筒１８が略水平方向へ寝かされた回動状態（図１参照）と、接続筒１８が上方へ屈曲するように立ち上げられた回動状態（図２参照）とでは、接続筒１８の先端付近の筒内流路１９ａの流路断面積が変化する。
【００４６】
より具体的には、図１に示すように、接続筒１８を寝かせた状態では、入口１６、案内路１７、筒内流路の先端部１９ａおよび筒内流路１９へと連通する流路の大きさ（太さ）は相対的に変化が少なく、矢印２０で示すように、入口１６から入った空気および塵挨は筒内流路１９の後方側へとスムーズに流れる。
【００４７】
一方、図２に示すように、接続筒１８を立てた状態に回動させると、案内路１７と筒内流路の先端１９ａとにより形成される流路部分の大きさ（内径）が大きくなる。このため、下方に位置する受け面２４および筒内流路の先端部１９ａにより形成される流路部分に、空気の乱流が生じ易いポケット（乱流ポケット）２６が生まれる。このため、入口１６から入り、案内路１７から筒内流路１９へと流れる空気および塵挨は、矢印２９で示すように後方へと流通するのに加えて、乱流ポケット２６で生じる圧力差のために、矢印２７で示すような乱流が発生し易くなる。乱流２７が発生すると、吸込音が大きくなり、ユーザに対して騒音の発生を認識させてしまう。
【００４８】
この実施形態では、かかる騒音の発生を防止するために、リブ３０が形成されている。この実施形態では、リブ３０は、接続筒１８の先端側の下方内面にほぼ全面にわたって複数平行に設けられていて、矢印２０，２９で示す空気および塵挨の通過方向に延びる薄板状の突条とされている。リブ３０は、接続筒１８の先端から接続管１８の最も流路面積が小さくなる位置近傍まで形成されている。リブ３０を設けると、図２に示すように、乱流ポケット２６で発生し易い乱流２７は、リブ３０に案内されて接続筒１８の筒内流路１９を後方へと誘導されるので、乱流の発生が抑止され、その結果騒音が発生することを防止できる。
【００４９】
図３は、接続筒１８単体の斜視図であり、リブ３０のより具体的な構成を表わす図である。
【００５０】
図３に示すように、リブ３０は、接続筒１８の先端側内面下方に設けられている。より具体的には、リブ３０は、接続筒１８の先端３１から後方に向かって、接続筒１８の長さ方向に延びていて、互いに平行に配列された複数の板状突状体からなっている。このため、接続筒１８を立てた状態に回動させ、接続筒１８の先端３１下面寄りに生じる乱流ポケット２６において、圧力差から生じ易い空気の乱れを整流することができ、乱流の発生を抑えて吸い込まれる空気および塵挨をスムーズに筒内流路１９内を後方へと流すことができる。
【００５１】
図４および図５は、本発明の他の実施形態を示し、前述の実施形態のリブ３０に加え、第２のリブ４１を追加したものである。前述の実施形態と同一構成は、同一符号を付して説明を省略する。図４は断面図、図５は接続筒１８を延長管の接続端側から見た平面図である。
【００５２】
前述の実施形態で説明したように、図２に示すように、接続筒１８を立てた状態に回動させると、案内路１７と筒内流路の先端１９ａとにより形成される流路部分の大きさ（内径）が大きくなる。このため、下方に位置する受け面２４および筒内流路の先端部１９ａにより形成される流路部分に、空気の乱流が生じ易いポケット（乱流ポケット）２６が生まれる。このため、入口１６から入り、案内路１７から筒内流路１９へと流れる空気および塵挨は、矢印２９で示すように後方へと流通するのに加えて、乱流ポケット２６で生じる圧力差のために、矢印２７で示すような乱流が発生し易くなる。
【００５３】
この乱流の発生を抑制するために、リブ３０を形成して空気の乱れを整流し、騒音の発生を防止しているが、完全には、乱流の発生を抑制することが困難である。
【００５４】
接続管１８は、回動受け部２１に上下方向に回動自在に支持されているため、図２に示すように、上方向に回動した際に回動受け部２１に当たらないようにするために、流路が狭くなる場所が形成される。その流路面積が狭い場所の下流側は、流路面積が広くなるため、流路断面積の変化により乱流が発生する。
【００５５】
前述したように、リブ３０を形成して空気の乱れを整流しているが、完全には乱流の発生を抑制することが困難であり、この空気の乱れた起因となって、接続管１８の流路面積が狭い場所より下流側で乱流が発生しやすくなり、騒音が発生する。
【００５６】
本実施形態では、かかる騒音の発生を防止するために、第２のリブ４１が形成されている。第２のリブ４１は、接続筒１８の最も流路面積が狭い位置から延長管が接続される接続端まで延設され、全周に形成されている。第２のリブ４１は、空気および塵埃の通過方向に延びる薄板状の突条とされている。
【００５７】
接続筒１８は、金型構造上、流路面積が最も狭い場所が接続筒１８内面を成形する金型の突き合わせ箇所となる。接続筒１８の流路面積が最も狭い場所より下流側（延長管の接続端側）は、金型の抜きテーパーのために、先端になるに従って径大になるように形成されている。
【００５８】
第２のリブ４１は、相対向する第２のリブ４１間の寸法を流路面積が最も狭い場所から延長管の接続端まで略同一寸法に形成することにより、接続筒１８内面からの突出量を、延長管の接続端側になるに従って高くなるように形成している。これにより、空気の整流効果を大きくしている。
【００５９】
第２のリブ４１を設けると、接続管１８の流路面積が狭い場所より下流側で発生しやすい乱流は、第２のリブ４１により整流されるので、乱流の発生が抑制され、その結果騒音が発生するのを防止できる。
【００６０】
図６および図７は、本発明のさらに他の実施形態を示し、前記実施形態と同一構成については、同一符号を付して説明を省略する。本実施形態は、本端１１の回動受け部２１に回動筒４２を上下動自在に支持し、回動筒４２に本体１１の幅方向（左右方向）に回動自在に接続筒１８を支持している。
【００６１】
前述の実施形態における説明と同様に、図７に示すように、接続筒１８を立てた状態に回動させると、案内路１７と筒内流路の先端１９ａとにより形成される流路部分の大きさ（内径）が大きくなる。このため、下方に位置する受け面２４および筒内流路の先端部１９ａにより形成される流路部分に、空気の乱流が生じ易いポケット（乱流ポケット）２６が生まれる。このため、入口１６から入り、案内路１７から筒内流路１９へと流れる空気および塵挨は、後方へと流通するのに加えて、乱流ポケット２６で生じる圧力差のために、乱流が発生し易くなる。乱流が発生すると、吸込音が大きくなり、ユーザに対して騒音の発生を認識させてしまう。
【００６２】
この実施形態では、かかる騒音の発生を防止するために、前述の実施形態と同様に、回動筒４２内面にリブ３０が形成されている。リブ３０を設けると、乱流ポケット２６で発生し易い乱流は、リブ３０に案内されて回動筒４２の筒内流路１９を後方へと誘導されるので、乱流の発生が抑止され、その結果騒音が発生することを防止できる。
【００６３】
また、回動筒４２に対して接続筒１８を本体１１の幅方向（左右方向）に回動させると、回動筒４２から接続筒１８へ至る空気および塵埃の流れが急激に屈曲するため、乱流が発生しやすくなり、騒音が大きくなる。
【００６４】
かかる騒音の発生を防止するために、接続筒１８の回動筒４２端部側の下方内面にほぼ全面にわたって第３のリブ４３が複数平行に形成されている。第３のリブ４３を設けると、流路の屈曲により発生し易い乱流は、第３のリブ４３に案内されて接続筒１８の筒内流路１９を後方へと誘導されるので、乱流の発生が抑止され、その結果騒音が発生することを防止できる。
【００６５】
本実施形態においても、接続筒１８の延長管への接続部側で乱流による騒音が発生する場合には、前述の実施形態と同様に、接続筒１８の延長管への接続部側内面に第２のリブ４１を形成すればよい。
【００６６】
リブ３０、第２のリブ４１および第３のリブ４３の形状や構成は、図１〜図７に示すものに限定されるものではない。たとえば、図１〜図７において、各リブ３０、４１、４３の高さを図示よりも高くすることが可能である。あるいは、図１〜図７では各リブ３０、４１、４３は前後方向（図１、図４および図６において左側から右側方向）に一定の高さのリブとなっているが、先端側のリブの高さを高く後端側のリブの高さを低くしたり、先端側のリブの高さを低く先端側のリブの高さを高くしたりというように、前後方向の位置によってリブの高さに高低差をつけてもよい。
【００６７】
また、図３に示すように、リブ３０は、たとえば６つのリブとするのに代えて、１〜Ｎ個（Ｎは任意の整数）のリブとしてもよい。
【００６８】
さらにまた、リブ３０を形成する位置は、本体１１に対して接続筒１８（ベンド１２）を回動させて、空気および塵挨の通過流路を屈曲させたときに、その屈曲外方側の位置に乱流ポケット２６が生じ易いから、屈曲外方側の位置が好ましいが、筒内流路１９の内径が大きくなる位置であれば、上記の位置以外にリブを設けてもよい。
【００６９】
また、第２のリブ４１は、全周に形成したが、乱流が発生しやすい場所にのみ形成してもよい。
【００７０】
また、ベンド１２の回動方向は、上下方向に限らず、本体１１に対してベンド１２が左右方向へも回動可能な電気掃除機用吸込具に対しても、この発明を適用することが可能である。その場合において、ベンド１２を回動させたときに、筒内流路の内径が大きくなる位置に、リブが設けられていればよい。
【００７１】
この発明に係る電気掃除機用吸込具は、上述した実施形態のものに限定されるものではない。たとえば、モータにより回転されるブラシ１４ではなく、吸込時に生じる風圧により回転されるブラシを有するもの、ブラシは設けられていないもの等、種々の吸込具に適用可能である。すなわち、吸込口を有する本体および吸込口から吸い込まれた空気および塵挨を案内するための筒状のベンドを有する吸込具であれば、この発明を適用することが可能である。
【００７２】
また、この実施形態では、回動受け部２１は、本体１１に本体１１の幅方向に回動自在に設けられていたが、他の実施形態として、回転受け部２１を本体１１に一体的に形成してもよい。
【００７３】
また、この発明に係る電気掃除機用吸込具は、アップライト型掃除機の吸込具にも適用することができる。
【００７４】
この発明は、以上説明した実施形態に限定されるものではなく、請求項記載の範囲内において種々の変更が可能である。
【図面の簡単な説明】
【００７５】
【図１】この発明の一実施形態に係る電気掃除機用吸込具の中央縦断面図であり、ベンドを寝かせた状態の図である。
【図２】この発明の一実施形態に係る電気掃除機用吸込具の中央縦断面図であり、ベンドを立てた状態の図である。
【図３】接続筒１８単体の斜視図であり、リブ３０のより具体的な構成を表わす図である。
【図４】この発明の他の実施形態に係る電気掃除機用吸込具の中央断面図である。
【図５】接続筒１８を延長管接続端側から見た平面図である。
【図６】この発明のさらに他の実施形態に係る電気掃除機用吸込具の中央断面図であり、ベンドを寝かせた状態の図である。
【図７】この発明のさらに他の実施形態に係る電気掃除機用吸込具の中央断面図であり、ベンドを立てた状態の図である。
【符号の説明】
【００７６】
１０    吸込具（電気掃除機用吸込具）
１１    本体
１２    ベンド
１３    吸込口
１６    入口
１７    案内路
１８    接続筒
１９    筒内流路
１９ａ    筒内流路の先端部
２０，２９    空気および塵挨の流れを示す矢印
２１    回動受け部
２２    接続筒１８の一端としての先端
２４    逆半球状の受け面
２５    嵌合面
２７    乱流を示す矢印
３０    リブ
４１    第２のリブ（リブ）
４２    回動筒
４３    第３のリブ（リブ）
【図１】
2008200480.tif 000003
【図２】
2008200480.tif 000004
【図３】
2008200480.tif 000005
【図４】
2008200480.tif 000006
【図５】
2008200480.tif 000007
【図６】
2008200480.tif 000008
【図７】
2008200480.tif 000009